(57)【要約】【課題】いびきを低減することが可能な枕を提供する。【解決手段】仰向けに寝ている人の体勢を基準として、頭を回転させることにより顔の向きを右あるいは左に振り向ける凸部を有する顔左右振り向け部１１１と、顔左右振り向け部１１１の凸部を覆い、顔左右振り向け部１１１の凸部よりも変形しやすいクッション部１２１と、を有する枕とする。【選択図】図２
2019217224.tif 000002
【特許請求の範囲】
【請求項１】
仰向けに寝ている人の体勢を基準として、頭を回転させることにより顔の向きを右あるいは左に振り向ける凸部を有する顔左右振り向け部と、
前記顔左右振り向け部の前記凸部を覆い、前記顔左右振り向け部の前記凸部よりも変形しやすいクッション部と、
を有することを特徴とする枕。
【請求項２】
請求項１記載の枕において、
前記顔左右振り向け部の凸部の高さは、１．５ｃｍ以上、１０ｃｍ以下であることを特徴とする枕。
【請求項３】
請求項１又は２に記載の枕において、
前記凸部の形状は、足元から見て、二等辺三角形であることを特徴とする枕。
【請求項４】
請求項３記載の枕において、
前記二等辺三角形の底角は、５度を越え、３０度未満であることを特徴とする枕。
【請求項５】
仰向けに寝ている人の体勢を基準として、頭の位置に応じて右あるいは左に回転し頭を回転させることにより顔の向きを右あるいは左に振り向ける頭搭載部を有する顔左右振り向け部と、
前記顔左右振り向け部の前記頭搭載部を覆い、前記顔左右振り向け部の前記頭搭載部よりも変形しやすいクッション部と、
を有することを特徴とする枕。
【請求項６】
請求項５記載の枕において、
前記顔左右振り向け部の前記頭搭載部は、足元から見てバー状或いは逆二等辺三角形状を有し、
前記バー状の頭搭載部の中央部は、台座部の上に配置された支持部により支えられ、或いは前記逆二等辺三角形状の頭搭載部の先端部は、台座部の上に配置されていることを特徴とする枕。
【請求項７】
請求項６記載の枕において、
前記支持部はバー状の前記頭搭載部に固定されており、バー状の前記頭搭載部に固定された前記支持部は、前記台座部の上を左右に移動可能に配置され、
前記台座部は、前記頭搭載部に固定された前記支持部の左右への移動範囲を制限するストッパーを有することを特徴とする枕。
【請求項８】
仰向けに寝ている人の体勢を基準として、頭を回転させることにより顔の向きを右あるいは左に振り向ける顔左右振り向け部を保持する顔左右振り向け部保持部と、
既存の枕を保持する枕保持部と、
を有することを特徴とする枕カバー。
【発明の詳細な説明】
【技術分野】
【０００１】  本発明は、いびき対策に有用な枕および枕カバーに関する。
【背景技術】
【０００２】  従来の枕としては、布製の袋にソバ殻やスポンジが詰められたもの、或いは異なる反発弾性及び硬さを有する複数のウレタンフォームが厚さ方向に積層された低反発枕が知られている。従来の枕については、例えば特許文献１に記載されている。
【先行技術文献】
【特許文献】
【０００３】
【特許文献１】特開２００２−１４２９４４号公報
【発明の概要】
【発明が解決しようとする課題】
【０００４】  従来の枕は、いびきの発生に対する配慮がほとんどなされていなかった。
本発明の目的は、いびきを低減することが可能な枕及び枕カバーを提供することにある。
【課題を解決するための手段】
【０００５】  上記目的を達成するための一実施形態として、
仰向けに寝ている人の体勢を基準として、頭を回転させることにより顔の向きを右あるいは左に振り向ける凸部を有する顔左右振り向け部と、
前記顔左右振り向け部の前記凸部を覆い、前記顔左右振り向け部の前記凸部よりも変形しやすいクッション部と、
を有することを特徴とする枕とする。【０００６】  また、他の実施形態として、
仰向けに寝ている人の体勢を基準として、頭の位置に応じて右あるいは左に回転し頭を回転させることにより顔の向きを右あるいは左に振り向ける頭搭載部を有する顔左右振り向け部と、
前記顔左右振り向け部の前記頭搭載部を覆い、前記顔左右振り向け部の前記頭搭載部よりも変形しやすいクッション部と、
を有することを特徴とする枕とする。【０００７】  また、他の実施形態として、
仰向けに寝ている人の体勢を基準として、頭を回転させることにより顔の向きを右あるいは左に振り向ける顔左右振り向け部を保持する顔左右振り向け部保持部と、既存の枕を保持する枕保持部と、
を有することを特徴とする枕カバーとする。
【発明の効果】
【０００８】  本発明によれば、顔の向きを真上に対して無意識の状態でも右或いは左とすることができるため、いびきを低減することが可能な枕や枕カバーを提供することができる。
【図面の簡単な説明】
【０００９】
【図１】人が枕を用いて仰向けに寝ているときの図で、（ａ）がＣ方向から見た平面図、（ｂ）がＢ方向から見た側面図である。
【図２】本願発明の第一の実施例に係る枕の図で、（ａ）がＡ方向から見た側面図、（ｂ）がＣ方向から見た平面図である。
【図３】本願発明の第二の実施例に係る枕のＡ方向から見た側面図である。
【図４】本願発明の第三の実施例に係る枕のＡ方向から見た側面図である。
【図５】本願発明の第四の実施例に係る枕のＡ方向から見た側面図である。
【図６】本願発明の第五の実施例に係る枕のＡ方向から見た側面図であり、（ａ）は一例、（ｂ）（ｃ）（ｄ）は他の例である。
【図７】本願発明の第六の実施例に係る枕の図であり、（ａ）がＡ方向から見た側面図、（ｂ）がＣ方向から見た平面図である。
【図８】本願発明の第七の実施例に係る枕カバーの図であり、（ａ）がＡ方向から見た側面図、（ｂ）がＣ方向から見た平面図である。
【図９】本願発明の第八の実施例に係る枕カバーの図であり、（ａ）がＡ方向から見た側面図、（ｂ）がＣ方向から見た平面図である。
【図１０】人が仰向けに寝た時の顔の向きを０度として、顔の向きを右或いは左に傾けた時のいびきの発生状況を示す図である。
【発明を実施するための形態】
【００１０】  発明者は、人がいびきをかいているときの体勢について観察した結果、図１０に示すような結果が得られた。すなわち、人が仰向けに寝ているときの顔の向きを０度とすると、顔の向きが右或いは左に傾くにつれていびきの発生が少なくなる。
【００１１】  そこで、人が意識している状態であっても無意識の状態であっても頭が回転し、顔の向きが自然に真上から右或いは左に向いてしまうような凸部を有する顔左右振り向け部を枕に取り付けた。これにより、いびきを低減することができる。
【００１２】  以下、図面を用いて実施例により具体的に説明する。なお、同一符号は同一構成要素を示す。
【実施例１】
【００１３】  本発明の実施例１に係る枕について、図１及び図２を用いて説明する。
図１は、人が枕を用いて仰向けに寝ているときの図で、図１（ａ）が図１（ｂ）に示すＣ方向から見た平面図、図１（ｂ）が図１（ａ）に示すＢ方向から見た側面図である。符号２００がベッド、符号１００が本実施例に係る枕、符号３００がベッド２００の上に仰向けに横たわる人を示す。なお、実際は、本実施例に係る枕を用いると顔の向きが自然に右或いは左に向いてしまうが、図面では仮に真上の方向を向いているように描いてある。【００１４】  図２に本実施例に係る枕を示す。図２（ａ）は横になった人の足元（図１に示すＡ方向）から見た枕の側面図であり、図２（ｂ）は仰向けになった人の直上（図１に示すＣ方向）から見た枕の平面図である。本実施例に係る枕１００は、図２に示すように、Ａ方向に沿うように配置された円柱状の顔左右振り向け部１１１と、顔左右振り向け部１１１を覆い、顔左右振り向け部１１１により傾けられる頭が倒れる右及び左の方向にそれぞれ延伸して配置されるクッション部１２１とを有する。【００１５】  本枕１００を用い、仰向けになって顔左右振り向け部１１１の凸部の頂点にクッション部を介して頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００１６】  なお、クッション部１２１は、顔左右振り向け部１１１の凸部よりも変形し易いことが望ましい。頭が回転した時にクッション部が沈み込むことにより、頭は滑らかに回転し、顔の向きを真上から左右に振り向けることができる。ここで、変形し易いとは、素材そのものの固さ、柔らかさということではなく、頭が乗ったときに大きく変形し易いということである（弾性変形が望ましい）。例えば、プラスチック製の顔左右振り向け部と鋼鉄製のばねを用いたクッション部とすることもできる。【００１７】  本実施例では、顔左右振り向け部１１１として直径２ｃｍ、長さ２０ｃｍのインセンスシーダー（オニヒバ）の木の円柱を用いた。また、クッション部１２１としてポリエステルのクッションを用い、顔左右振り向け部１１１の全体を覆うように配置した。オニヒバの他、スギやヒノキなど他の木材やプラスチックなどの合成樹脂、アルミニウムなどの金属を用いることもできる。スギを用いれば、調湿効果を得ることができる。また、ヒノキを用いれば、リラックス効果を得ることができる。合成樹脂の場合には所望の形状を得やすく、金属の場合には耐久性に優れる。【００１８】  顔左右振り向け部を構成する円柱は、頭の重さで塑性変形し難い円筒とすることもできる。【００１９】  また、円柱の直径としては、０．５ｃｍ〜２０ｃｍを用いることができる。円柱の直径が０．５ｃｍ以下では顔左右振り向け部がクッション部に埋もれてしまい、２０ｃｍ以上では枕として高さが高すぎるためである。ただし、１．５〜１０ｃｍが好適である。【００２０】  顔左右振���向け部１１１の少なくとも凸部（頭が乗る領域）のクッション部は、顔左右振り向け部の凸部よりも変形し易くすることが望ましい。これにより顔左右振り向け部１１１の凸部による頭へのゴツゴツ感を緩和することができる。【００２１】  クッション部１２１の上面は、顔左右振り向け部１１１よりもクッション部全体を変形し易くしておくことにより、直下に顔左右振り向け部１１１が有る領域と無い領域で平坦にすることができる。これにより、頭をスムーズに傾けることができる。直下に顔左右振り向け部１１１が有る領域より無い領域の方を低くしておくことにより、クッション部全体を変形し易くしなくても、頭をスムーズに傾け易くすることができる。この場合でも、クッション部全体を変形し易くしておくことができる。【００２２】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り向け部の凸部よりも変形し易くすることにより、頭をスムーズに傾けることができる、また、顔左右振り向け部１１１による頭へのゴツゴツ感を緩和することができる。
【実施例２】
【００２３】  本発明の実施例２に係る枕について図３を用いて説明する。なお、実施例１に記載され本実施例に未記載の事項は特段の事情がない限り本実施例にも適用することができる。【００２４】  図３は、横になった人の足元（図１に示すＡ方向）から見た本実施例に係る枕の側面図である。平面図は図２（ｂ）と同様である。本実施例に係る枕１００は、半円柱状の顔左右振り向け部１１２と、顔左右振り向け部１１２を覆い、顔左右振り向け部１１２により傾けられる頭が倒れる右及び左の方向にそれぞれ延伸して配置されるクッション部１２１とを有する。【００２５】  本枕１００を用い、仰向けになって顔左右振り向け部１１２の凸部の頂点に頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００２６】  なお、クッション部１２１は、顔左右振り向け部１１２の凸部よりも変形し易いことが望ましい。頭が回転した時にクッション部が沈み込むことにより、頭は滑らかに回転し、顔の向きを真上から左右に振り向けることができる。【００２７】  本実施例では、顔左右振り向け部１１２として直径６ｃｍ、長さ２０ｃｍの塩化ビニールの半円柱を用いた。また、クッション部１２１としてウレタンのクッションを用い、顔左右振り向け部１１２の全体を覆うように配置した。【００２８】  顔左右振り向け部を構成する半円柱は、頭の重さで塑性変形し難い半円筒とすることもできる。【００２９】  また、半円柱の直径としては、１ｃｍ〜４０ｃｍを用いることができる、半円柱の直径が１ｃｍ以下では顔左右振り向け部がクッション部に埋もれてしまい、４０ｃｍ以上では枕として高さが高すぎるためである。ただし、３〜２０ｃｍが好適である。【００３０】  顔左右振り向け部１１２の少なくとも凸部（頭が乗る領域）のクッション部は、顔左右振り向け部の凸部よりも変形し易くすることが望ましい。これにより顔左右振り向け部１１２の凸部による頭へのゴツゴツ感を緩和することができる。【００３１】  クッション部１２１の上面は、顔左右振り向け部１１２よりもクッション部全体を変形し易くしておくことにより、直下に顔左右振り向け部１１２が有る領域と無い領域で平坦にすることができる。これにより、頭をスムーズに傾けることができる。直下に顔左右振り向け部１１２が有る領域より無い領域の方を低くしておくことにより、クッション部全体を変形し易くしなくても、頭をスムーズに傾け易くすることができる。この場合でも、クッション部全体を変形し易くしておくことができる。【００３２】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り���け部の凸部よりも変形し易くすることにより、頭をスムーズに傾けることができる、また、顔左右振り向け部による頭へのゴツゴツ感を緩和することができる。また、顔左右振り向け部を半円柱形状とすることにより、底面が平らとなり実施例１の円柱形状に比べ転がり難くクッション部内で移動し難くなる。
【実施例３】
【００３３】  本発明の実施例３に係る枕について図４を用いて説明する。なお、実施例１又は実施例２に記載され本実施例に未記載の事項は特段の事情がない限り本実施例にも適用することができる。【００３４】  図４は、横になった人の足元（図１に示すＡ方向）から見た本実施例に係る枕の側面図である。平面図は図２（ｂ）と同様である。本実施例に係る枕１００は、楕円柱状の顔左右振り向け部１１３と、顔左右振り向け部１１３を覆い、顔左右振り向け部１１３により傾けられる頭が倒れる右及び左の方向にそれぞれ延伸して配置されるクッション部１２１とを有する。【００３５】  本枕１００を用い、仰向けになって顔左右振り向け部１１３の凸部の頂点に頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００３６】  なお、クッション部１２１は、顔左右振り向け部１１３の凸部よりも変形し易いことが望ましい。顔左右振り向け部の凸部が頭に当たったときのゴツゴツ感をより低減することができる。また、頭が回転した時にクッション部が沈み込むことにより、頭は滑らかに回転し、顔の向きを真上から左右に振り向けることができる。【００３７】  本実施例では、顔左右振り向け部１１３として中心線を通る方向の直径（ここでは短径）２ｃｍ、長さ２０ｃｍのアルミニウムの楕円柱を用いた。また、クッション部１２１として低反発ウレタンのクッションを用い、顔左右振り向け部１１３の全体を覆うように配置した。【００３８】  顔左右振り向け部を構成する楕円柱は、頭の重さで塑性変形し難い楕円筒とすることもできる。【００３９】  また、楕円柱の中心線の方向の直径（ここでは短径）としては、０．５ｃｍ〜２０ｃｍを用いることができる。他の直径（ここでは長径）については、ベッドからはみ出さない範囲で特に制限はない。楕円柱の短径が０．５ｃｍ以下では顔左右振り向け部がクッション部に埋もれてしまい、２０ｃｍ以上では枕として高さが高すぎるためである。ただし、１．５〜１０ｃｍが好適である。【００４０】  顔左右振り向け部１１３の少なくとも凸部（頭が乗る領域）のクッション部は、顔左右振り向け部の凸部よりも変形し易くすることが望ましい。これにより顔左右振り向け部１１３の凸部による頭へのゴツゴツ感を緩和することができる。【００４１】  クッション部１２１は、顔左右振り向け部１１３よりもクッション部全体を変形し易くしておくことにより、直下に顔左右振り向け部１１３が有る領域と無い領域でクッション部１２１の上面を平坦にすることができる。これにより、頭をスムーズに傾けることができる。直下に顔左右振り向け部１１３が有る領域より無い領域の方を低くしておくことにより、クッション部全体を変形し易くしなくても、頭をスムーズに傾け易くすることができる。この場合でも、クッション部全体を変形し易くしておくことができる。【００４２】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り向け部の凸部よりも変形し易くすることにより、頭をスムーズに傾けることができる、また、顔左右振り向け部による頭へのゴツゴツ感を緩和することができる。また、顔左右振り向け部を楕円柱形状とすることにより、実施例１の円柱形状に比べ底辺部の曲率が小さいため転がり難くクッション部内で移動し難くなる。
【実施例４】
【００４３】  本発明の実施例４に係る枕について図５を用いて説明する。なお、実施例１乃至実施例３のいずれかに記載され本実施例に未記載の事項は特段の事情がない限り本実施例にも適用することができる。【００４４】  図５は、横になった人の足元（図１に示すＡ方向）から見た本実施例に係る枕の側面図である。平面図は図２（ｂ）と同様である。本実施例に係る枕１００は、半楕円柱状の顔左右振り向け部１１４と、顔左右振り向け部１１４を覆い、顔左右振り向け部１１４により傾けられる頭が倒れる右及び左の方向にそれぞれ延伸して配置されるクッション部１２１とを有する。【００４５】  本枕１００を用い、仰向けになって顔左右振り向け部１１４の凸部の頂点に頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００４６】  なお、クッション部１２１は、顔左右振り向け部１１４の凸部よりも変形し易いことが望ましい。頭が回転した時にクッション部が沈み込むことにより、頭は滑らかに回転し、顔の向きを真上から左右に振り向けることができる。
本実施例では、顔左右振り向け部１１４として中心線を通る方向の直径（ここでは短径）４ｃｍ、長さ２０ｃｍの塩化ビニールの半楕円柱を用いた。また、クッション部１２１としてポリエステルのクッションを用い、顔左右振り向け部１１４の全体を覆うように配置した。【００４７】  顔左右振り向け部を構成する半楕円柱は、頭の重さで塑性変形し難い半楕円筒とすることもできる。【００４８】  また、半楕円柱の重心線の方向の直径（ここでは短径）としては、１ｃｍ〜４０ｃｍを用いることができる。他の直径（ここでは長径）については、ベッドからはみ出さない範囲で特に制限はない。半楕円柱の短径が１ｃｍ以下では顔左右振り向け部がクッション部に埋もれてしまい、４０ｃｍ以上では枕として高さが高すぎるためである。ただし、３〜１０ｃｍが好適である。【００４９】  顔左右振り向け部１１４の少なくとも凸部（頭が乗る領域）のクッション部は、顔左右振り向け部の凸部よりも変形し易くすることが望ましい。これにより顔左右振り向け部１１４の凸部による頭へのゴツゴツ感を緩和することができる。【００５０】  クッション部１２１は、顔左右振り向け部１１４の凸部よりもクッション部全体を変形し易くしておくことにより、直下に顔左右振り向け部１１４が有る領域と無い領域でクッション部１２１の上面を平坦にすることができる。これにより、頭をスムーズに傾けることができる。直下に顔左右振り向け部１１４が有る領域より無い領域の方を低くしておくことにより、クッション部全体を変形し易くしなくても、頭をスムーズに傾け易くすることができる。この場合でも、クッション部全体を変形し易くしておくことができる。【００５１】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り向け部の凸部よりも変形し易くすることにより、頭をスムーズに傾けることができる、また、顔左右振り向け部による頭へのゴツゴツ感を緩和することができる。また、顔左右振り向け部を楕円柱形状とすることにより、実施例３の楕円柱形状に比べ底面が平らなため転がり難くクッション部内で移動し難くなる。
【実施例５】
【００５２】  本発明の実施例５に係る枕について図６を用いて説明する。なお、実施例１乃至実施例４のいずれかに記載され本実施例に未記載の事項は特段の事情がない限り本実施例にも適用することができる。【００５３】  図６は、横になった人の足元（図１に示すＡ方向）から見た本実施例に係る枕の側面図である。平面図はそれぞれ図２（ｂ）と同様である。本実施例の図６（ａ）に示す枕１００は、二等辺三角柱状の顔左右振り向け部１１５と、顔左右振り向け部１１５を覆い、顔左右振り向け部１１５により傾けられる頭が倒れる右及び左の方向にそれぞれ延伸して配置されるクッション部１２１とを有する。【００５４】  図６（ａ）に示す枕１００を用い、仰向けになって顔左右振り向け部１１５の凸部の頂点に頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域（二等辺三角形の斜面）に頭を乗せれば、傾いている方向に頭が傾くことは言うまでもない。【００５５】  なお、クッション部１２１は、顔左右振り向け部１１５の凸部よりも変形し易いことが望ましい。頭が回転した時にクッション部が沈み込むことにより、頭は滑らかに回転し、顔の向きを真上から左右に振り向けることができる。【００５６】  図６（ａ）に示す枕では、顔左右振り向け部１１５として中心線を通る方向の高さ４ｃｍ、長さ２０ｃｍ、底角２０度のスギの木の二等辺三角柱を用いた。また、クッション部１２１としてポリエステルのクッションを用い、顔左右振り向け部１１５の全体を覆うように配置した。【００５７】  顔左右振り向け部を構成する二等辺三角柱は、頭の重さで塑性変形し難い二等辺三角筒とすることもできる。底角αの範囲として、３〜６０度とすることができる。底角αが３度未満では傾斜が緩く頭を回転させることが困難であり、底角αが６０度を越えると頭がずれ落ち易くなる。底角αとしては、５度を越え３０度未満が好適である。また、二等辺三角形ではなく、一方の底角を３〜６０度の範囲、他方の底角も３〜６０度の範囲で互いに異なる角度とした三角柱とすることもできる。【００５８】  なお、図６（ａ）（ｂ）では正三角形となるように記載されているが、図６（ｃ）に示すように逆三角形となるように配置することもできる。逆三角形となるように配置しても逆三角形の底面部に頭を載せることにより凸部の頂点を支点として顔左右振り向け部１１８自体が矢印に示すように回転し同時に頭も回転し、顔の向きを変える効果が得られる。この頂点を支える台座部を設けることにより、頂点部によるクッション部の劣化を低減・防止することができる。なお、逆三角形の各々の角部は丸めておくことによりクッション部の劣化を低減することができる。なお、逆三角形の底面部は、頭を載せる領域となるため頭搭載部と呼ぶことができる。【００５９】  また、逆三角形に限らず、図６（ｄ）に示すように、支点（支持部）と腕部を有するシーソー型、すなわち、支持部１３１及び前記支持部１３１に支持され頭の位置に応じて矢印で示すように右あるいは左に回転し顔の向きを右あるいは左に振り向ける板状（足元から見てバー状）の腕部（頭搭載部）１３２及びそれらを支える台座部１３３を有する顔左右振り向け部１１９と、顔左右振り向け部１１９の腕部（頭搭載部）１３２を覆い、顔左右振り向け部の腕部（頭搭載部）よりも変形しやすいクッション部１２１と、を有する枕１００とすることもできる。台座部１３３を設けることにより、クッション部の劣化を低減できる。また、台座部１３３を頭搭載部１３２と同等の大きさ或いはそれより大きくすることにより、台座部１３３が頭搭載部１３２の回転のストッパーとなり頭搭載部１３２の傾き角を安定化できる。支持部１３１は、頭搭載部１３２に固定することも、台座部１３３に固定することもできる。本実施例では、支持部１３１を頭搭載部１３２に固定し、台座部１３３の上での支持部を回転可能とした。また、頭搭載部１３２を適当な速さでシーソーのように動かすことにより、眠り込んでいる人の目を覚ますことができる。【００６０】  また、頭搭載部を支持部と共に左右方向に移動可能とする手段を台座部に設け、頭搭載部と共に頭が右側に回転した場合には頭搭載部が支持部と共に左側へ、頭が左側に回転した場合には右側へ移動させれば、体の中心線からの頭の重心移動が少なくなり首への負担が低減される。なお、頭搭載部を支持部と共に左右方向に移動可能とする手段として、例えば、頭搭載部１３２が固定された支持部１３１を台座部１３３に対して可動とし、支持部の可動範囲（数ｃｍ程度）を制限するストッパーを台座部に設けた構成とすることができる。この台座部に設けるストッパーは、支持部を挟んで両側に配置することができる。また、支持部が大きい場合には、支持部の台座側をくり抜いてストッパーよりも大きな空洞を作り、空洞の内部となるように配置することもできる。いずれの場合においても、ストッパーと支持部との間に弾性素材を挿入することにより、未使用時にストッパーと支持部との間の距離を保つことができ、頭の位置によらず、左右どちらへの移動も可能となる。【００６１】  また、二等辺三角柱の高さとしては、０．５ｃｍ〜２０ｃｍとすることができる。二等辺三角柱の高さが０．５ｃｍ未満では顔左右振り向け部がクッション部に埋もれてしまい、４０ｃｍを越えると枕として高さが高すぎるためである。ただし、１．５〜１０ｃｍが好適である。底辺の長さを長くし、枕の左右方向端部に近づけることにより、実施例１に示す円柱状或いは実施例２に示す半円柱状の顔左右振り向け部に比べ左右方向においてより広い範囲で頭を回転させ顔の向きを変えることが可能となる。【００６２】  図６（ａ）（ｂ）に示す顔左右振り向け部の少なくとも凸部（頭が乗る領域）のクッション部は、顔左右振り向け部の凸部よりも変形し易くすることが望ましい。これにより顔左右振り向け部１１５、１１６の凸部による頭へのゴツゴツ感を緩和することができる。なお、図６（ｃ）（ｄ）に示す顔左右振り向け部１１８、１１９の場合、頭搭載部のクッション部１２１は、顔左右振り向け部１１８、１１９の頭搭載部よりも変形し易くすることが望ましい。【００６３】  クッション部１２１は、顔左右振り向け部１１５、１１６の凸部よりもクッション部全体を変形し易くしておくことにより、直下に顔左右振り向け部１１５、１１６が有る領域と無い領域でクッション部１２１の上面を平坦にすることができる。これにより、頭をスムーズに傾けることができる。直下に顔左右振り向け部１１５、１１６が有る領域より無い領域の方を低くしておくことにより、クッション部全体を変形し易くしなくても、頭をスムーズに傾け易くすることができる。この場合でも、クッション部全体を変形し易くしておくことができる。【００６４】  なお、図６（ｂ）に示すように、二等辺三角柱の少なくとも頂点部（凸部）に丸みを持たせた顔左右振り向け部１１６とすることにより、或いは図示していないが頂点部を平らとすることにより、頭を頂点上に載せた時の頭へのゴツゴツ感を低減することができる。特に頂角βが小さいほど有効である。また、各角部に丸みを持たせることにより、各角部に接触するクッション部の劣化を低減することができる。【００６５】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り向け部の凸部よりも変形し易くすることにより、頭をスムーズに傾けることができる、また、顔左右振り向け部による頭へのゴツゴツ感を緩和することができる。また、顔左右振り向け部を三角柱形状とすることにより、底面を平らにすることができるため転がり難くクッション部内で移動し難くなる。また、底辺の長さを枕の左右方向端部に近づけることにより、実施例１に示す円柱状或いは実施例２に示す半円柱状の顔左右振り向け部に比べ左右方向においてより広い範囲で頭を回転させ顔の向きを変えることが可能となる。また、顔振り向け部として、逆三角形型或いはシーソー型とすることにより、上記効果の他、顔振り向け部の可動部を動かすことにより、眠り込んでいる人の目を覚ますことができる。
【実施例６】
【００６６】  本発明の実施例６に係る枕について図７を用いて説明する。なお、実施例１乃至５のいずれかに記載され本実施例に未記載の事項は特段の事情がない限り本実施例にも適用することができる。【００６７】  図７（ａ）は横になった人の足元（図１に示すＡ方向）から見た枕の側面図であり、図７（ｂ）は仰向けになった人の直上（図１に示すＣ方向）から見た枕の平面図である。本実施例に係る枕１００は、半円柱状の顔左右振り向け部１１７と、顔左右振り向け部１１７を覆うクッション部１２１と、顔左右振り向け部１１７及びクッション部１２１を固定する枕固定部１４１とを有する。【００６８】  本枕１００を用い、仰向けになってクッション部１２１を介して顔左右振り向け部１１７の凸部の頂点に頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００６９】  クッション部１２１は、顔左右振り向け部１１２の凸部よりも変形し易いことが望ましい。頭が回転した時にクッション部が沈み込むことにより、顔左右振り向け部１１２の凸部による頭へのゴツゴツ感を緩和することができる。【００７０】  また、図１に示すＣ方向から見た場合、枕が横長ではなく縦長となり移動し易くなるが、枕固定部１４１を設けることにより、ベッド上での枕の位置ずれを低減することができる。なお、枕固定部は、プラスチックや木材、硬質ゴム、その他クッション部１２１よりも変形し難い材料を用いることができる。【００７１】  本実施例では、顔左右振り向け部１１７として直径４ｃｍ、長さ２０ｃｍの塩化ビニールの半円柱を用いた。また、クッション部１２１としてウレタンのクッションを用い、顔左右振り向け部１１７の全体を覆うように配置した。また、枕固定部１４１としては、５０ｃｍ×２５ｃｍ×１ｃｍのプラスチック板とした。なお、枕固定部をクッションで覆うこともできる。【００７２】  また、半円柱の直径としては、１ｃｍ〜４０ｃｍを用いることができる。半円柱の直径が１ｃｍ以下では顔左右振り向け部がクッション部に埋もれてしまい、４０ｃｍ以上では枕として高さが高すぎるためである。ただし、３〜２０ｃｍが好適である。なお、言うまでもないが、顔左右振り向け部の形状は、半円柱に限らない。【００７３】  以上、本実施例によれば、顔左右振り向け部を設けることにより、顔の向きを真上に対して無意識の状態でも自然に右或いは左に振り向けることができるため、いびきを低減することが可能な枕を提供することができる。また、クッション部を、顔左右振り向け部の凸部よりも変形し易くすることにより、顔左右振り向け部による頭へのゴツゴツ感を緩和することができる。また、枕固定部を設けることにより、顔左右振り向け部がベッド上で移動し難くなる。
【実施例７】
【００７４】  本発明の実施例７に係る枕カバーについて図８を用いて説明する。なお、実施例１乃至６のいずれかに記載され本実施例に未記載の事項は特段の事情がない限り本実施例にも適用することができる。【００７５】  図８（ａ）は横になった人の足元（図１に示すＡ方向）から見た枕カバーの側面図であり、図８（ｂ）は仰向けになった人の直上（図１に示すＣ方向）から見た枕カバーの平面図である。本実施例に係る枕カバー４００は、例えば、頭が回転することにより顔の向きが真上から右或いは左に向いてしまうような凸部を有する半円柱状の顔左右振り向け部がクッション部で覆われた顔左右振り向け部を保持する顔左右振り向け部保持部４１１と、従来（既存）の枕を保持する枕保持部４２１とを有する。なお、顔左右振り向け部を覆うクッション部は、枕カバーに取り付けることもできる。【００７６】  本枕カバー４００を用い、仰向けになって顔左右振り向け部保持部４１１に保持された顔左右振り向け部の凸部の頂点にクッション部を介して頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。なお、顔左右振り向け部保持部４１１は、外側（枕保持部４２１の反対側）に配置する必要はなく、内側（枕保持部４２１側）に配置することもできる。この場合、顔左右振り向け部が従来の枕などにより固定され移動や位置ズレが生じ難くなるようなら、枕保持部４２１を顔左右振り向け部保持部４１１としても兼用することができる。【００７７】  枕カバーの材料としては布を用いることができる。また、従来の枕は必ずしも一定の大きさとは限らないため、従来の枕の大きさに応じて枕保持部の大きさ（外回りの寸法）を調節するための調節部を備えることができる。この調節部には、面ファスナーを用いることができる。
なお、言うまでもないが、顔左右振り向け部の形状は、半円柱に限らない。【００７８】  以上、本実施例によれば、顔左右振り向け部保持部及び従来の枕を保持する枕保持部を備えた枕カバーとすることにより、従来の枕を用いても顔の向きを真上に対して無意識の状態でも自然に右或いは左に振り向けることができるため、いびきを低減することが可能な枕カバーを提供することができる。また、枕カバーに長さを調節する調節部を設けることにより、大きさの異なる従来の枕への適用が可能となる。
【実施例８】
【００７９】  本発明の実施例８に係る枕カバーについて図９を用いて説明する。なお、実施例１乃至７のいずれかに記載され本実施例に未記載の事項は特段の事情がない限り本実施例にも適用することができる。【００８０】  図９（ａ）は横になった人の足元（図１に示すＡ方向）から見た枕カバーの側面図であり、図９（ｂ）は仰向けになった人の直上（図１に示すＣ方向）から見た枕カバーの平面図である。本実施例に係る枕カバー４００は、例えば、頭が回転することにより顔の向きが真上から右或いは左に向いてしまうような凸部を有する半円柱状の顔左右振り向け部がクッション部で覆われた顔左右振り向け部を保持する顔左右振り向け部保持部４１１と、従来（既存）の枕を保持する枕保持部４２１と、顔が横を向いたときに顔を受け止めるための顔当て部材を保持するための顔当て部材保持部４３１とを有する。顔当て部材としては、スポンジやソバ殻を用いることができる。【００８１】  本枕カバー４００を用い、仰向けになって顔左右振り向け部保持部４１１に保持された顔左右振り向け部の凸部の頂点にクッション部を介して頭を乗せると、凸部のＣ方向における中心線と頭の重心線との不確定な微妙なずれにより、頭が回転し顔の向きが真上から右或いは左に自然とずれる。真上を０度とした場合、首の回り易さやクッション部の状態（高さ、変形し易さなど）にも影響されるが、顔の向きが右か左に２０度から６０度程度又はそれ以上自然に傾く。これにより、いびきを低減することができる。凸部の頂点より下の傾いた領域に頭を乗せれば、傾いている方向に頭が傾くことは言うまでもない。【００８２】  頭が凸部に載っている状態では、頭を支える領域が少ない。顔当て部材保持部４３１に保持する顔当て部材を配置することにより、頭を支える領域を増やすことができる。この顔当てのための顔当て部材は、図９（ａ）では枕保持部に保持された従来の枕の上側に配置されるように記載されているが、従来の枕の下側に配置してもよい。従来の枕の下側に顔当て部材を配置する場合、顔当て部材により持ち上げられた従来の枕の端部が実質的に顔当て部材として機能する。この顔当て部材は、従来の枕の上側となるように配置する際は従来の枕と同等或いはそれよりも変形し易くし、従来の枕の下側となるように配置する際には従来の枕と同等或いはそれよりも変形し難くすることが望ましい。なお、この顔当て部材は、実施例１乃至６に係る枕にも適用することができる。【００８３】  なお、顔左右振り向け部保持部４１１は、外側（枕保持部４２１の反対側）である必要はなく、内側（枕保持部４２１側）に配置することもできる。この場合、顔左右振り向け部が従来の枕などにより固定され移動や位置ズレが生じ難くなるようなら、顔左右振り向け部保持部４１１は省略し、枕保持部４２１に従来の枕と顔左右振り向け部とを保持することができる（枕保持部と顔左右振り向け部保持部を兼用）。【００８４】  枕カバーの材料としては布を用いることができる。また、従来の枕は必ずしも一定の大きさとは限らないため、従来の枕の大きさに応じて枕保持部の大きさ（外回りの寸法）を調節するための調節部を備えることができる。この調節部には、面ファスナーを用いることができる。
なお、言うまでもないが、顔左右振り向け部の形状は、半円柱に限らない。【００８５】  以上、本実施例によれば、顔左右振り向け部保持部及び従来の枕を保持する枕保持部を備えた枕カバーとすることにより、従来の枕を用いても顔の向きを真上に対して無意識の状態でも自然に右或いは左に振り向けることができるため、いびきを低減することが可能な枕カバーを提供することができる。また、枕カバーに長さを調節する調節部を設けることにより、大きさの異なる従来の枕への適用が可能となる。また、顔当て部材保持部を設けたことにより、広い領域で頭を支えることができる。
【符号の説明】
【００８６】１００…枕、
１１１、１１２、１１３、１１４、１１５、１１６、１１７、１１８、１１９…顔左右振り向け部、
１２１…クッション部、
１３１…支持部、
１３２…頭搭載部、
１３３…台座部、
１４１…枕固定部、
２００…ベッド、
３００…ベッドの上に仰向けに横たわる人、
４００…枕カバー、
４１１…顔左右振り向け部保持部、
４２１…従来（既存）の枕保持部、
４３１…顔当て部材保持部。
【図１】
2019217224.tif 000003
【図２】
2019217224.tif 000004
【図３】
2019217224.tif 000005
【図４】
2019217224.tif 000006
【図５】
2019217224.tif 000007
【図６】
2019217224.tif 000008
【図７】
2019217224.tif 000009
【図８】
2019217224.tif 000010
【図９】
2019217224.tif 000011
【図１０】
2019217224.tif 000012